(57)【要約】      （修正有）【課題】尿吸収パッド内の尿が外部へ染み出すことを防止する失禁パンツを提供する。【解決手段】尿吸収パッド３０は、透水性シート３１と、防水性シート３７と、これらの両シート間に配置される吸水性中間層３２〜３６と、透水性シートの幅方向両側縁部外面上に重ねられて側方に張り出している防水テープ３８とを備える。防水性シート３７の幅寸法は透水性シートおよび吸水性中間層よりも大きくされて、その両側縁部が透水性シートおよび吸水性中間層の両側縁から側方に張り出している。防水テープと透水性シートの側縁部と吸水性中間層の側縁部とからなる積層体が、防水性シートと分離された状態で、第１の縫い目線４１に沿って縫合されている。防水テープの側方張出部分と防水性シートの側方張出側縁部とパンツ生地２１とからなる積層体が、第１の縫い目線よりも外側方にずれた位置にある第２の縫い目線４２に沿って縫合されている。【選択図】図５
0003179832.tif 000002
【実用新案登録請求の範囲】
【請求項１】
パンツ生地と、前記パンツ生地の裏面に取り付けられる尿吸収パッドとを備えた失禁パンツであって、
前記尿吸収パッドは、
装着者の体に接触する透水性シートと、
前記パンツ生地の裏面に接触する防水性シートと、
前記透水性シートと前記防水性シートとの間に配置される吸水性中間層と、
前記透水性シートの幅方向両側縁部外面上に重ねられて、この透水性シートの両側縁から側方に張り出している防水テープとを備え、
前記防水性シートの幅寸法は前記透水性シートおよび前記吸水性中間層の幅寸法よりも大きくされて、その両側縁部が前記透水性シートおよび前記吸水性中間層の両側縁から側方に張り出しており、
前記防水テープと前記透水性シートの側縁部と前記吸水性中間層の側縁部とからなる積層体が、前記防水性シートと分離された状態で、第１の縫い目線に沿って縫合されており、
前記防水テープの側方張出部分と前記防水性シートの側方張出側縁部と前記パンツ生地とからなる積層体が、前記第１の縫い目線よりも外側方にずれた位置にある第２の縫い目線に沿って縫合されている、失禁パンツ。
【請求項２】
前記防水テープは、前記第１の縫い目線を覆い隠すように、第１の縫い目線を境にして外側方に向けて折り返されている、請求項１に記載の失禁パンツ。
【請求項３】
前記防水テープは、前記透水性シートの側縁部および前記吸水性中間層の側縁部の両者を抱え込んでいる、請求項１または２に記載の失禁パンツ。
【請求項４】
前記尿吸収パッドは、前記透水性シートの縦方向の一方縁部および他方縁部の外面上に重ねられて、この透水性シートの一方縁および他方縁から縦方向に張り出している上部防水テープおよび下部防水テープをさらに備え、
前記防水性シートの縦方向寸法は、前記透水性シートおよび前記吸水性中間層の縦方向寸法よりも大きくされて、その縦方向一方縁部および他方縁部が前記透水性シートおよび前記吸水性中間層から縦方向に張り出しており、
前記上部防水テープと前記透水性シートの一方縁部と前記吸水性中間層の一方縁部とからなる積層体が、前記防水性シートから分離された状態で、第３の縫い目線に沿って縫合されており、
前記下部防水テープと前記透水性シートの他方縁部と前記吸水性中間層の他方縁部とからなる積層体が、前記防水性シートから分離された状態で、第４の縫い目線に沿って縫合されており、
前記上部防水テープの一方張出部分と前記防水性シートの一方張出縁部と前記パンツ生地とからなる積層体が、前記第３の縫い目線よりも縦方向外方にずれた位置にある第５の縫い目線に沿って縫合されており、
前記下部防水テープの他方張出部分と前記防水性シートの他方張出縁部と前記パンツ生地とからなる積層体が、前記第４の縫い目線よりも縦方向外方にずれた位置にある第６の縫い目線に沿って縫合されている、請求項１〜３のいずれかに記載の失禁パンツ。
【請求項５】
前記第１の縫い目線と前記第２の縫い目線との間隔は、８ｍｍ以上である、請求項１〜４のいずれかに記載の失禁パンツ。
【請求項６】
前記第３の縫い目線と前記第５の縫い目線との間隔は８ｍｍ以上であり、
前記第４の縫い目線と前記第６の縫い目線との間隔は８ｍｍ以上である、請求項１〜５のいずれかに記載の失禁パンツ。
【考案の詳細な説明】
【技術分野】
【０００１】
この考案は、不意に失禁してパンツの生地を濡らすようになることを防ぐ失禁パンツに関するものである。
【背景技術】
【０００２】
失禁パンツは、例えば、実用新案登録第３１６１４２１号公報や特開２０１１−１７９１３９号公報等に開示されている。
【０００３】
失禁パンツは、小用を意識した瞬間に少量失禁してしまったり、重いものを持ったり、笑ったり、くしゃみをしたりした瞬間に失禁してしまったり、小用をする直前に少量漏らしてしまった場合のために着用するものである。
【０００４】
実用新案登録第３１６１４２１号公報に記載の考案は、尿貯留部を有する失禁パンツであり、パンツの内側に、導水層としての第１層と、吸水層としての第２層と、消臭層としての第３層と、防水層としての第４層とを重合したパッドで、下部に尿貯留用凹部を備えたパッドが配置されていると共に、前記パッドの上下両端部が、それぞれ伸縮性生地を介してパンツに縫着されていることを特徴としている。
【０００５】
図９は、実用新案登録第３１６１４２１号公報に開示された尿吸収パッドがパンツ生地に取り付けられている構造を図解的に示している。パンツ生地１の裏面に取り付けられた尿吸収パッド１０は、導水層１１と、消臭層１２と、保水層１３と、防水層１４とを積層した積層体であり、それらの両縁部を防水テープ１５で抱え込んだ構造を有している。尿吸収パッド１０は、両縁部の防水テープ１５を通過する縫い目線１６の箇所で各層を縫合すると共に、パンツ生地１への縫着がなされている。
【先行技術文献】
【特許文献】
【０００６】
【特許文献１】実用新案登録第３１６１４２１号公報
【特許文献２】特開２０１１−１７９１３９号公報
【考案の概要】
【考案が解決しようとする課題】
【０００７】
図９に示した構造の失禁パンツでは、尿吸収パッド１０内に尿を留め、外部への尿の漏れ出しを防ぐことを意図しているが、尿の外部への染み出しを十分に禁止することができない。具体的には、尿吸収パッド１０内の尿は、図中に矢印で示すように、縫い目線１６に沿って防水層１４および防水テープ１５を通過し、パンツ生地１を濡らしてしまう。
【０００８】
本考案は、上記の課題を解決するためになされたものであり、その目的は、尿吸収パッド内の尿が外部へ染み出すことを十分に防止することのできる失禁パンツを提供することである。
【課題を解決するための手段】
【０００９】
この考案に従った失禁パンツは、パンツ生地と、このパンツ生地の裏面に取り付けられる尿吸収パッドとを備える。尿吸収パッドは、装着者の体に接触する透水性シートと、パンツ生地の裏面に接触する防水性シートと、透水性シートと防水性シートとの間に配置される吸水性中間層と、透水性シートの幅方向両側縁部外面上に重ねられて、この透水性シートの両側縁から側方に張り出している防水テープとを備える。防水性シートの幅寸法は透水性シートおよび吸水性中間層の幅寸法よりも大きくされて、その両側縁部が透水性シートおよび吸水性中間層の両側縁から側方に張り出している。防水テープと透水性シートの側縁部と吸水性中間層の側縁部とからなる積層体が、防水性シートと分離された状態で、第１の縫い目線に沿って縫合されている。防水テープの側方張出部分と防水性シートの側方張出側縁部とパンツ生地とからなる積層体は、上記の第１の縫い目線よりも外側方にずれた位置にある第２の縫い目線に沿って縫合されている。
【００１０】
上記構成の本考案によれば、第１の縫い目線に沿って尿がパンツ生地に向かって染み出しても、染み出した尿の進行は防水性シートによって遮断される。第１の縫い目線に沿って染み出したし尿が防水性シートの面に沿って外側方に広がったとしても、第２の縫い面線が外側方にずれた位置にあるので、そこに至るまでの領域で留まる可能性が高い。したがって、第２の縫い目線に沿って尿がパンツ生地にまで染み出す可能性は低くなる。
【００１１】
好ましくは、防水テープは、第１の縫い目線を覆い隠すように、第１の縫い目線を境にして外側方に向けて折り返されている。この構成であれば、第１の縫い目線に沿って防水テープ上にまで染み出した尿の進行を外側方折り返し部分で遮断することができる。
【００１２】
さらに好ましくは、防水テープは、透水性シートの側縁部および前記吸水性中間層の側縁部の両者を抱え込んでいる。この構成であれば、吸水性中間層の側縁から染み出す尿の進行を防水テープで遮断することができる。
【００１３】
一つの実施形態では、尿吸収パッドは、透水性シートの幅方向両側縁上に防水テープを設け、透水性シートの縦方向一方縁部および他方縁部上に防水テープを設けていない。その理由は、吸水性中間層の尿は、縦方向一方縁部および他方縁部にまで到達することが稀だからである。他の実施形態では、縦方向の尿の染み出しを確実に防止するために、尿吸収パッドは、透水性シートの縦方向の一方縁部および他方縁部の外面上に重ねられて、この透水性シートの一方縁および他方縁から縦方向に張り出している上部防水テープおよび下部防水テープをさらに備える。この場合、防水性シートの縦方向寸法は、透水性シートおよび吸水性中間層の縦方向寸法よりも大きくされて、その縦方向一方縁部および他方縁部が透水性シートおよび吸水性中間層から縦方向に張り出している。上部防水テープと透水性シートの一方縁部と吸水性中間層の一方縁部とからなる積層体は、防水性シートから分離された状態で、第３の縫い目線に沿って縫合されている。下部防水テープと透水性シートの他方縁部と吸水性中間層の他方縁部とからなる積層体は、防水性シートから分離された状態で、第４の縫い目線に沿って縫合されている。上部防水テープの一方張出部分と防水性シートの一方張出縁部とパンツ生地とからなる積層体は、第３の縫い目線よりも縦方向外方にずれた位置にある第５の縫い目線に沿って縫合されている。下部防水テープの他方張出部分と防水性シートの他方張出縁部とパンツ生地とからなる積層体は、第４の縫い目線よりも縦方向外方にずれた位置にある第６の縫い目線に沿って縫合されている。
【００１４】
第１の縫い目線から第２の縫い目線に至るまでの領域で尿を確実に留めておくために、好ましくは、第１の縫い目線と第２の縫い目線との間隔を８ｍｍ以上とする。同様に、好ましくは、第３の縫い目線と第５の縫い目線との間隔を８ｍｍ以上とし、第４の縫い目線と第６の縫い目線との間隔を８ｍｍ以上とする。
【図面の簡単な説明】
【００１５】
【図１】失禁パンツの正面図である。
【図２】失禁パンツの背面図である。
【図３】失禁パンツの尿吸収パッドの構成要素の分解斜視図である。
【図４】幅方向両側縁に防水テープを設けた尿吸収パッドを示す図である。
【図５】本考案の一実施形態の構造を示す図解的断面図であり、図４の線Ｖ−Ｖに沿った位置の対応図である。
【図６】本考案の他の実施形態の構造を示す図解的断面図である。
【図７】本考案のさらに他の実施形態の構造を示す図解的断面図である。
【図８】幅方向両側縁および縦方向の両縁に防水テープを設けた尿吸収パッドを示す図である。
【図９】従来の失禁パンツの尿吸収パッド取り付け部分の図解的断面図である。
【考案を実施するための形態】
【００１６】
図１および図２は、パンツ生地２１と、パンツ生地２１の裏面に取り付けられた尿吸収パッド３０とを備える失禁パンツ２０を示している。図示する失禁パンツは女性用のものであり、尿吸収パッド３０は股間部から尻部を覆うように延在している。
【００１７】
図３および図５を参照して、尿吸収パッド３０の詳細構造およびパンツ生地への取付け構造を説明する。図示した実施形態の尿吸収パッドは、装着者の体に接触する透水性シート３１と、パンツ生地２１の裏面に接触する防水性シート３７と、この両シート３１，３７間に位置する吸水性中間層３２，３３，３４，３５，３６と、透水性シート３１の幅方向両側縁部外面上に重ねられて、この透水性シート３１の両側縁から側方に張り出している防水テープ３８とを備える。図４は、防水テープ３８を透水性シート３１の両側縁部外面上に重ねた状態を示している。
【００１８】
透水性シート３１は、尿を通過させる素材であり、例えばポリエステル繊維のような合成繊維のニットや、綿などから作られている。
【００１９】
吸水性中間層は、透水性シート３１を通過して入ってきた尿を外部に漏らさないように吸収する部分であり、内側（装着者側）から外側（パンツ生地側）に向かって順に、綿パイル生地のような吸水性のある生地３２、吸水性に加えて消臭性および抗菌性を有するやや面積の小さいポリエステル製不織布３３、透水性シート３１と同じ大きさ及び形状で吸水性、消臭性および抗菌性を有するポリエステル製不織布３４、消臭性を有するポリエステル製不織布３５、消臭性を有するポリエステル製不織布３６を積層させた構造である。面積の小さいポリエステル製不織布３３は、面積の大きいポリエステル製不織布３４に予め縫着されている。
【００２０】
面積の小さいポリエステル製不織布３３を除く吸水性中間層の各層３２，３４，３５，３６と、透水性シート３１とは、ほぼ同じ外形形状および大きさである。
【００２１】
防水性シート３７は、尿を透過させない素材、例えばポリウレタンフィルムからなり、その幅寸法は、透水性シート３１および吸水性中間層の幅寸法よりも大きくされている。従って、防水性シート３７を透水性シート３１と吸水性中間層との積層体に重ね合せたとき、その両側縁部が積層体の両側縁から側方に張り出す。
【００２２】
図５は、第１の縫い目線４１および第２の縫い目線４２を示している。図示するように、防水テープ３８と、透水性シート３１の側縁部と、吸水性中間層の側縁部とからなる積層体は、防水性シート３７から分離された状態で、第１の縫い目線４１に沿って縫合されている。この第１の縫い目線は、防水性シート３７を通過していない。
【００２３】
防水テープ３８の側方張出部分と、防水性シート３７の側方張出側縁部と、パンツ生地２１とからなる積層体は、第１の縫い目線４１よりも外側方にずれた位置にある第２の縫い目線４２に沿って縫合されている。第１の縫い目線４１と第２の縫い目線４２との間隔Ｄは、好ましくは８ｍｍ以上である。
【００２４】
以上の構成の失禁パンツによれば、尿吸収パッド内の尿が外部に染み出すことを十分に防止することができる。その作用を以下に説明する。図５において矢印で示すように、吸水性中間層内の尿の量が多くなったとき、尿は、第１の縫い目線４１に沿ってパンツ生地２１に向かって徐々に染み出すようになるが、第１の縫い目線４１は防水性シート３７を通過していないので、染み出した尿の進行は防水性シート３７によって遮断される。遮断された尿が防水性シート３７の面に沿って外側方に広がったとしても、第２の縫い目線４２に至るまでの領域で留まる可能性が高いので、尿が第２の縫い目線４２に沿ってパンツ生地２１にまで染み出す可能性は低い。
【００２５】
図５に示す実施形態では、防水テープ３８は、透水性シート３１の両側縁部上に平らに置かれるものであった。図６に示す実施形態に係る尿吸収パッド５０では、防水テープ３８０は、第１の縫い目線４１を覆い隠すように、第１の縫い目線４１を境にして外側方に向けて折り返されている。この実施形態では、尿が第１の縫い目線４１に沿って防水テープ３８０上にまで染み出したとしても、それ以上の尿の進行を折り返し部分で遮断している。防水テープ３８０以外の構造に関しては、図５および図６に示す両実施形態に差異はない。
【００２６】
図７に示す実施形態に係る尿吸収パッド６０では、防水テープ３８１は、透水性シート３１の側縁部および吸水性中間層の側縁部の両者を抱え込む形状となっている。この実施形態では、吸水性中間層の側縁から染み出す尿の進行を防水テープ３８１で遮断することができる。
【００２７】
図３〜図７に示す実施形態に係る尿吸収パッドでは、透水性シート３１の幅方向両側縁部上に防水テープ３８，３８０，３８１を設けた。他の実施形態として、図８に示すように、両側縁の防水テープ３８に加えて、透水性シート３１の縦方向の一方縁部および他方縁部の外面上に重ねられて、この透水性シートの一方縁および他方縁から縦方向に張り出している上部防水テープ７０および下部防水テープ７１を備えるようにしてもよい。
【００２８】
上部防水テープ７０および下部防水テープ７１を備える実施形態の場合、尿吸収パッドの上縁部および下縁部と、パンツ生地との縫合構造は、尿吸収パッドの両側縁部とパンツ生地との縫合構造と実質的に同じである。
【００２９】
具体的には、防水性シートの縦方向寸法は、透水性シートおよび吸水性中間層の縦方向寸法よりも大きくされて、その縦方向一方縁部および他方縁部が透水性シートおよび吸水性中間層から縦方向に張り出している。
【００３０】
上部防水テープと透水性シートの一方縁部と吸水性中間層の一方縁部とからなる積層体は、防水性シートから分離された状態で、第３の縫い目線に沿って縫合されている。下部防水テープと透水性シートの他方縁部と吸水性中間層の他方縁部とからなる積層体は、防水性シートから分離された状態で、第４の縫い目線に沿って縫合されている。
【００３１】
上部防水テープの一方張出部分と防水性シートの一方張出縁部とパンツ生地とからなる積層体は、第３の縫い目線よりも縦方向外方にずれた位置にある第５の縫い目線に沿って縫合されている。下部防水テープの他方張出部分と防水性シートの他方張出縁部とパンツ生地とからなる積層体は、第４の縫い目線よりも縦方向外方にずれた位置にある第６の縫い目線に沿って縫合されている。
【００３２】
好ましくは、第３の縫い目線と第５の縫い目線との間隔を８ｍｍ以上とし、第４の縫い目線と第６の縫い目線との間隔を８ｍｍ以上とする。
【００３３】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。例えば、尿吸収パッドの形状や配置を男性用失禁パンツに適するように変更してもよい。
【産業上の利用可能性】
【００３４】
本考案は、尿吸収パッド内の尿が外部に染み出すことを十分に防止できる失禁パンツとして有利に利用され得る。
【符号の説明】
【００３５】
１  パンツ生地、１０  尿吸収パッド、１１  導水層、１２  消臭層、１３  保水層、１４  防水層、１５  防水テープ、２０  失禁パンツ、２１  パンツ生地、３０  尿吸収パッド、３１  透水性シート、３２  吸水性生地、３３ポリエステル製不織布、３４  ポリエステル製不織布、３５  ポリエステル製不織布、３６  ポリエステル製不織布、３７  防水性シート、３８，３８０，３８１  防水テープ、４１  第１の縫い目線、４２  第２の縫い目線、５０  尿吸収パッド、６０  尿吸収パッド、７０  上部防水テープ、７１  下部防水テープ。
【図１】
0003179832.tif 000003
【図２】
0003179832.tif 000004
【図３】
0003179832.tif 000005
【図４】
0003179832.tif 000006
【図５】
0003179832.tif 000007
【図６】
0003179832.tif 000008
【図７】
0003179832.tif 000009
【図８】
0003179832.tif 000010
【図９】
0003179832.tif 000011
【手続補正書】
【提出日】平成24年9月13日(2012.9.13)
【手続補正１】
【補正対象書類名】実用新案登録請求の範囲
【補正対象項目名】全文
【補正方法】変更
【補正の内容】
【実用新案登録請求の範囲】
【請求項１】
パンツ生地と、前記パンツ生地の裏面に取り付けられる尿吸収パッドとを備えた失禁パンツであって、
前記尿吸収パッドは、
装着者の体に接触する透水性シートと、
前記パンツ生地の裏面に接触する防水性シートと、
前記透水性シートと前記防水性シートとの間に配置される吸水性中間層と、
前記透水性シートの幅方向両側縁部外面上に重ねられて、この透水性シートの両側縁から側方に張り出している防水テープとを備え、
前記防水性シートの幅寸法は前記透水性シートおよび前記吸水性中間層の幅寸法よりも大きくされて、その両側縁部が前記透水性シートおよび前記吸水性中間層の両側縁から側方に張り出しており、
前記防水テープと前記透水性シートの側縁部と前記吸水性中間層の側縁部とからなる積層体が、前記防水性シートと分離された状態で、第１の縫い目線に沿って縫合されており、
前記防水テープの側方張出部分と前記防水性シートの側方張出側縁部と前記パンツ生地とからなる積層体が、前記第１の縫い目線よりも外側方にずれた位置にある第２の縫い目線に沿って縫合されている、失禁パンツ。
【請求項２】
前記防水テープは、前記第１の縫い目線を覆い隠すように、第１の縫い目線を境にして外側方に向けて折り返されている、請求項１に記載の失禁パンツ。
【請求項３】
前記防水テープは、前記透水性シートの側縁部および前記吸水性中間層の側縁部の両者を抱え込んでいる、請求項１または２に記載の失禁パンツ。
【請求項４】
前記尿吸収パッドは、前記透水性シートの縦方向の一方縁部および他方縁部の外面上に重ねられて、この透水性シートの一方縁および他方縁から縦方向に張り出している上部防水テープおよび下部防水テープをさらに備え、
前記防水性シートの縦方向寸法は、前記透水性シートおよび前記吸水性中間層の縦方向寸法よりも大きくされて、その縦方向一方縁部および他方縁部が前記透水性シートおよび前記吸水性中間層から縦方向に張り出しており、
前記上部防水テープと前記透水性シートの一方縁部と前記吸水性中間層の一方縁部とからなる積層体が、前記防水性シートから分離された状態で、第３の縫い目線に沿って縫合されており、
前記下部防水テープと前記透水性シートの他方縁部と前記吸水性中間層の他方縁部とからなる積層体が、前記防水性シートから分離された状態で、第４の縫い目線に沿って縫合されており、
前記上部防水テープの一方張出部分と前記防水性シートの一方張出縁部と前記パンツ生地とからなる積層体が、前記第３の縫い目線よりも縦方向外方にずれた位置にある第５の縫い目線に沿って縫合されており、
前記下部防水テープの他方張出部分と前記防水性シートの他方張出縁部と前記パンツ生地とからなる積層体が、前記第４の縫い目線よりも縦方向外方にずれた位置にある第６の縫い目線に沿って縫合されている、請求項１〜３のいずれかに記載の失禁パンツ。
【請求項５】
前記第１の縫い目線と前記第２の縫い目線との間隔は、８ｍｍ以上である、請求項１〜４のいずれかに記載の失禁パンツ。
【請求項６】
前記第３の縫い目線と前記第５の縫い目線との間隔は８ｍｍ以上であり、
前記第４の縫い目線と前記第６の縫い目線との間隔は８ｍｍ以上である、請求項４に記載の失禁パンツ。